(57)【要約】      （修正有）【課題】本考案は防護衣服に関し、弾丸や砲弾の破片に対して防護性を発揮し、着水、受傷、着火等の緊急時に、索状体を引き抜く簡単な取扱操作により前部防護衣、後部防護衣、胴帯体等の構成部材の接続を解いて即座に脱ぎ捨てることができ、安全性を高くする。【解決手段】防護手段を有する前部防護衣１と、後部防護衣２と、前部防護衣および後部防護衣の肩部を連結可能に左右の肩部に備えた肩部繋止帯３と、腰帯体４とを備え、一端側をひとまとめに配索された４本の索状体５のうち、２本を前部防護衣１と後部防護衣２との肩部繋止帯３の接続個所に第１接続手段６を介して接続可能に配索し、残りの２本を後部防護衣と腰帯体４との接続個所に第２接続手段を介して接続可能に配索し、索状体を引き抜くことにより前部防護衣1と前記後部防護衣２と前記腰帯体４とを分離可能に接続した。【選択図】図１
0003121772.tif 000002
【実用新案登録請求の範囲】
【請求項１】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
一端側を１まとめに配索された４本の索状体のうち、２本を前記前部防護衣と前記後部防護衣との前記肩部繋止帯の接続個所に第１接続手段を介して接続可能に配索し、残りの２本を前記背部防護衣と前記腰帯体との接続個所に第２接続手段を介して接続可能に配索し、前記索状体を引き抜くことにより前記前部防護衣と前記後部防護衣と前記腰帯体とを分離可能に接続したことを特徴とする防護衣服。
【請求項２】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の索状体が、短索状体であり、該短索状体は、前記前部防護衣の一側の胸元付近から前記前部防護衣と前記後部防護衣との前記肩部繋止帯による接続個所に配設した第１接続手段を介して連結可能にかつ分離可能に配索されることを特徴とする請求項１に記載の防護衣服。
【請求項３】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記下部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の前記索状体が、長索状体であり、該長索状体は、前記前部防護衣の一側の胸元付近から一側の肩部に沿って配索されることにより前記後部防護衣と前記腰帯体との接続個所に配設した第２接続手段を介して連結可能にかつ分離可能に配索されることを特徴とする請求項１または２に記載の防護衣服。
【請求項４】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記肩部繋止帯は、前記前部防護衣、または前記後部防護衣の何れか一方における左右の肩部に上下対向して設けた上肩フラップ、および下肩フラップと、該上肩フラップ、および下肩フラップとの間に挟持可能に固定され、輪状のスリーブ帯体が設けられた中間フラップと、結合リングを有し、前記前部防護衣、または前記後部防護衣の何れか他方における左右の肩部に前記上肩フラップ、および前記下肩フラップ、前記中間フラップに対して前記第１接続手段を介して接続可能に設けられた被接続フラップとにより構成されることを特徴とする請求項１,または２,３の何れか１の請求項に記載の防護衣服。
【請求項５】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記腰帯体は、雄状係合部材と該雄状係合部材が係脱可能になる雌状係合部材とよりなる適宜係止手段の前記雄状係合部材、または前記雌状係合部材の一方を前面の一端に装設して他端を袋状の前記後部防護衣内に配挿した左右１対の内側腰バンド構成体にて構成される内側腰バンドと、前記第２接続手段を介して一端が前記後部防護衣に着脱可能に接続されて前記内側腰バンドの外側に捲回されるとともに他端が適宜係止部材により開閉可能に結合される外側腰バンドとより成ることを特徴とする請求項１,または２,３,４の何れか１の請求項に記載の防護衣服。
【請求項６】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の索状体が、短索状体であり、該短索状体は、前記前部防護衣と前記後部防護衣との前記肩部繋止帯による接続個所に配設した第１接続手段を介して連結可能にかつ分離可能に配索され、
前記第１接続手段は、前記短索状体が挿通可能な前記スリーブ帯体と、前記短索状体の手前側から後方側が前記スリーブ帯体の背面側に跨いで配装される前記結合リングとから構成されることを特徴とする請求項１,または２,３,４,５の何れか１の請求項に記載の防護衣服。
【請求項７】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の前記索状体が、長索状体であり、該長索状体は、前記後部防護衣と前記腰帯体との接続個所に配設した第２接続手段を介して連結可能にかつ分離可能に配索され、
前記第２接続手段は、前記長索状体が挿通可能に前記後部防護衣内に配挿される前記外側腰バンドの一端に所望個数が設けられるとともに前記後部防護衣内に挿入される左右何れか一方の前記内側腰バンド構成体の一端に前記長索状体が挿通可能に所望個数が設けられた輪状のスリーブ帯体と、前記後部防護衣内に前記スリーブ帯体に対応して前記外側腰バンドの他端に設けられた他のスリーブ帯体と、該スリーブ帯体と前記スリーブ帯体内に挿通される前記長索状体の手前側から後方側が前記スリーブ帯体の背面側に跨いで配装される前記結合リングと、から構成されることを特徴とする請求項１,または２,３,４,５,６の何れか１の請求項に記載の防護衣服。
【請求項８】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記前部防護衣および前記後部防護衣の少なくとも下縁に、スライドファスナーを開閉可能に設けることにより前記前部防護衣および前記後部防護衣の内部に前記防護部材としてのセラミック等により形成されるアマープレートとを収脱可能に収納したことを特徴とする請求項１,または２,３,４,５,６,７の何れか１の請求項に記載の防護衣服。
【請求項９】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
少なくとも前記前部防護衣および前記腰帯体に所望間隔にて縫着された所望複数段のウエピングテープと、拳銃、連射銃、ショットガン等の弾納用、フラッシュ弾収納用、医薬品収納用、無線機収納用、ガスマスク収納用等の各種ポーチの背面に所望数段設けられ各段毎の前記ウエピングテープ間の間隙に配置される吊りテープと、布帛、合成樹脂シート、皮革等の柔軟性を有する素材により可撓可能に鞘状に構成されて前記ウエピングテープおよび前記吊りテープ内に各段毎に変位して上下方向に抜差可能に挿入される案内テープと、該案内テープ内に挿通経路に沿って導入されて前記ポーチの背面に設けた被係合孔内に係脱可能に係入されて合成樹脂等の可撓性材料にて先端側に設けられた芯部材と、を備え、前記ポーチを前記前部防護衣、前記腰帯体に着脱可能に取付けることを特徴とする請求項１,または２,３,４,５,６,７,８の何れか１の請求項に記載の防護衣服。
【請求項１０】
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
任務状況等に対応して必要時に、首の周囲を保護する保護立衿部材、喉を覆う喉保護部材、左右の両肩を覆う肩保護部材、左右の両脇を覆う脇保護部材、股間を覆う股保護部材等の保護拡張部材を適宜係止手段により着脱自在に取付けることを特徴とする請求項１,または２,３,４,５,６,７,８,９の何れか１の請求項に記載の防護衣服。
【考案の詳細な説明】
【技術分野】
【０００１】
本考案は防護衣服に関し、弾丸や砲弾の破片に対して防護性を発揮し、着水、受傷、着火等の緊急時には、索状体を引き抜くという簡単な取扱操作により索状体により接続されている前部防護衣、後部防護衣、胴帯体等の複数個の構成部材の接続を解いて即座に脱ぎ捨てることができ、安全性を高くしたものである。
【背景技術】
【０００２】
従来、着用することにより弾丸や砲弾の破片に対する防護性を発揮する防弾衣として、被着者の身体の前面を被覆する前防護部と、背面を被覆する背面防護部とを、着用者の肩に対応する位置で化だ部により分離可能に係止し、かつ前防護部に設けた面ファスナーに背面防護部に設けた止着バンドを止着して着用者の胴部を覆うように一体化するものがあった。そして、被着者の身体サイズに対応して防弾衣を調整して着用するようにしたものがあった（例えば特許文献１参照）。
【特許文献１】実用新案登録第３０６７８１７号公報
【考案の開示】
【考案が解決しようとする課題】
【０００３】
ところで、上記特許文献１に記載の上記従来の防弾着は、被着者の身体の前面を被覆する前防護部と、背面を被覆する背面防護部とは、着用者の肩に対応する位置で化だ部により分離可能に係止する構造により、被着者の身体サイズに対応して防弾衣を調整して着用するものであり、前防護部と、背面防護部とを完全に分離するものではない。しかも、背面防護部に設けた止着バンドも背面防護部から分離されるものではない。
【０００４】
従って、特許文献１に記載の上記従来の防弾着は、着水、受傷、着火等の緊急時に、防弾着を即座に脱ぎ捨てることがでず、脱ぎ捨てるのには多くの時間がかかるので、安全性に欠けるものであった。
【０００５】
本考案はかかる問題点を解決し、着水、受傷、着火等の緊急時に、簡単な取扱操作により前部防護衣、後部防護衣、腰帯体等の複数個の構成部材の接続を簡単な取扱操作により解いて完全に分離して防弾着を即座に脱ぎ捨てることができ、安全性を高め、また構成部材を完全に分離後は洗濯も容易に行え、しかも、分離された構成部材相互の再度の組付けも容易であり、補修、交換も容易で保守、管理が楽に行える防護衣服を提供することを目的とする。
【課題を解決するための手段】
【０００６】
本考案は上記課題に鑑みてなされ請求項１に記載の考案は、
防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
一端側を１まとめに配索された４本の索状体のうち、２本を前記前部防護衣と前記後部防護衣との前記肩部繋止帯の接続個所に第１接続手段を介して接続可能に配索し、残りの２本を前記背部防護衣と前記腰帯体との接続個所に第２接続手段を介して接続可能に配索し、前記索状体を引き抜くことにより前記前部防護衣と前記後部防護衣と前記腰帯体とを分離可能に接続したことを特徴とする。
【０００７】
また、本考案の請求項２に記載の考案は、請求項１に記載の考案において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の索状体が、短索状体であり、該短索状体は、前記前部防護衣の一側の胸元付近から前記前部防護衣と前記後部防護衣との前記肩部繋止帯による接続個所に配設した第１接続手段を介して連結可能にかつ分離可能に配索されることを特徴とする。
【０００８】
また、本考案の請求項３に記載の考案は、請求項１または２に記載の考案において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記下部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の前記索状体が、長索状体であり、該長索状体は、前記前部防護衣の一側の胸元付近から一側の肩部に沿って配索されることにより前記後部防護衣と前記腰帯体との接続個所に配設した第２接続手段を介して連結可能にかつ分離可能に配索されることを特徴とする。
【０００９】
また、本考案の請求項４の記載の考案は、請求項１,または２,３の何れか１の請求項において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記肩部繋止帯は、前記前部防護衣、または前記後部防護衣の何れか一方における左右の肩部に上下対向して設けた上肩フラップ、および下肩フラップと、該上肩フラップ、および下肩フラップとの間に挟持可能に固定され、輪状のスリーブ帯体が設けられた中間フラップと、結合リングを有し、前記前部防護衣、または前記後部防護衣の何れか他方における左右の肩部に前記上肩フラップ、および前記下肩フラップ、前記中間フラップに対して前記第１接続手段を介して接続可能に設けられた被接続フラップとにより構成されることを特徴とする。
【００１０】
また、本考案の請求項５に記載の考案は、請求項１,または２,３,４の何れか１の請求項において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記腰帯体は、雄状係合部材と該雄状係合部材が係脱可能になる雌状係合部材とよりなる適宜係止手段の前記雄状係合部材、または前記雌状係合部材の一方を前面の一端に装設して他端を袋状の前記後部防護衣内に配挿した左右１対の内側腰バンド構成体にて構成される内側腰バンドと、前記第２接続手段を介して一端が前記後部防護衣に着脱可能に接続されて前記内側腰バンドの外側に捲回されるとともに他端が適宜係止部材により開閉可能に結合される外側腰バンドとより成ることを特徴とする。
【００１１】
また、本考案の請求項６に記載の考案は、請求項１,または２,３,４,５の何れか１の請求項において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
４本の索条体のうち２本の索状体が、短索状体であり、該短索状体は、前記前部防護衣と前記後部防護衣との前記肩部繋止帯による接続個所に配設した第１接続手段を介して連結可能にかつ分離可能に配索され、
前記第１接続手段は、前記短索状体が挿通可能な前記スリーブ帯体と、前記短索状体の手前側から後方側が前記スリーブ帯体の背面側に跨いで配装される前記結合リングとから構成されることを特徴とする。
【００１２】
また、本考案の請求項７に記載の考案は、請求項１,または２,３,４,５,６の何れか１の請求項において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記第２接続手段は、前記長索状体が挿通可能に前記後部防護衣内に配挿される前記外側腰バンドの一端に所望個数が設けられるとともに前記後部防護衣内に挿入される左右何れか一方の前記内側腰バンド構成体の一端に前記長索状体が挿通可能に所望個数が設けられた輪状のスリーブ帯体と、前記後部防護衣内に前記スリーブ帯体に対応して前記外側腰バンドの他端に設けられた他のスリーブ帯体と、該スリーブ帯体と前記スリーブ帯体内に挿通される前記長索状体の手前側から後方側が前記スリーブ帯体の背面側に跨いで配装される前記結合リングと、から構成されることを特徴とする。
【００１３】
また、本考案の請求項８に記載の考案は、請求項１,または２,３,４,５,６,７の何れか１の請求項において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
前記前部防護衣および前記後部防護衣の少なくとも下縁に、スライドファスナーを開閉可能に設けることにより前記前部防護衣および前記後部防護衣の内部に前記防護部材としてのセラミック等により形成されるアマープレートとを収脱可能に収納したことを特徴とする。
【００１４】
また、本考案の請求項９に記載の考案は、請求項１,または２,３,４,５,６,７,８の何れか１の請求項において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
少なくとも前記前部防護衣および前記腰帯体に所望間隔にて縫着された所望複数段のウエピングテープと、拳銃、連射銃、ショットガン等の弾納用、フラッシュ弾収納用、医薬品収納用、無線機収納用、ガスマスク収納用等の各種ポーチの背面に所望数段設けられ各段毎の前記ウエピングテープ間の間隙に配置される吊りテープと、布帛、合成樹脂シート、皮革等の柔軟性を有する素材により可撓可能に鞘状に構成されて前記ウエピングテープおよび前記吊りテープ内に各段毎に変位して上下方向に抜差可能に挿入される案内テープと、該案内テープ内に挿通経路に沿って導入されて前記ポーチの背面に設けた被係合孔内に係脱可能に係入されて合成樹脂等の可撓性材料にて先端側に設けられた芯部材と、を備え、前記ポーチを前記前部防護衣、前記腰帯体に着脱可能に取付けることを特徴とする。
【００１５】
また、本考案の請求項１０に記載の考案は、請求項１,または２,３,４,５,６,７,８,９の何れか１において、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、
任務状況等に対応して必要時に、首の周囲を保護する保護立衿部材、喉を覆う喉保護部材、左右の両肩を覆う肩保護部材、左右の両脇を覆う脇保護部材、股間を覆う股保護部材等の保護拡張部材を適宜係止手段により着脱自在に取付けることを特徴とする。
【考案の効果】
【００１６】
本考案の請求項１に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、一端側を１まとめに配索された４本の索状体のうち、２本を前記前部防護衣と前記後部防護衣との前記肩部繋止帯の接続個所に第１接続手段を介して接続可能に配索し、残りの２本を前記背部防護衣と前記腰帯体との接続個所に第２接続手段を介して接続可能に配索し、前記索状体を引き抜くことにより前記前部防護衣と前記後部防護衣と前記胴帯体とを分離可能に接続したことを特徴とするので、着水、受傷、着火等の緊急時に、簡単な取扱操作により前部防護衣、後部防護衣、腰帯体等の複数個の構成部材の接続を簡単な取扱操作により解いて完全に分離して防弾着を即座に脱ぎ捨てることができ、安全性を高め、また構成部材を完全に分離後は洗濯も容易に行え、しかも、分離された構成部材相互の再度の組付けも容易であり、補修、交換も容易で保守、管理が楽に行える。
【００１７】
また、本考案の請求項２によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、４本の索条体のうち２本の索状体が、短索状体であり、該短索状体は、前記前部防護衣の一側の胸元付近から前記前部防護衣と前記後部防護衣との前記肩部繋止帯による接続個所に配設した第１接続手段を介して連結可能にかつ分離可能に配索されることを特徴とするので、２本の短索状体を１まとめに引き抜くという簡単な取扱操作により、前部防護衣と後部防護衣との肩部繋止帯の接続個所の接続が解かれるため、前部防護衣と後部防護衣とは肩部繋止帯にて分離される。また、前部防護衣と後部防護衣との組付けも容易に行える。
【００１８】
また、本考案の請求項３に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記下部防護衣との下縁を締付可能な腰帯体とを備え、前記前部防護衣と前記後部防護衣とを前記肩部繋止帯を介して分離可能に設けたベスト状の防護衣服において、４本の索条体のうち２本の前記索状体が、長索状体であり、該長索状体は、前記前部防護衣の一側の胸元付近から一側の肩部に沿って配索されることにより前記後部防護衣と前記腰帯体との接続個所に配設した第２接続手段を介して連結可能にかつ分離可能に配索されることを特徴とするので、２本の長索状体を１まとめに引き抜くという簡単な取扱操作により、後部防護衣と腰帯体との接続個所に配設した第２接続手段での後部防護衣と腰帯体との接続が解かれるため、後部防護衣と腰帯体とは分離される。また、後部防護衣に対する腰帯体の組付けも容易に行える。
【００１９】
また、本考案の請求項４の記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、前記肩部繋止帯は、前記前部防護衣、または前記後部防護衣の何れか一方における左右の肩部に上下対向して設けた上肩フラップ、および下肩フラップと、該上肩フラップ、および下肩フラップとの間に挟持可能に固定され、輪状のスリーブ帯体が設けられた中間フラップと、結合リングを有し、前記前部防護衣、または前記後部防護衣の何れか他方における左右の肩部に前記上肩フラップ、および前記下肩フラップ、前記中間フラップに対して前記第１接続手段を介して接続可能に設けられた被接続フラップとにより構成されることを特徴とするので、前記前部防護衣、または前記後部防護衣の何れか一方における左右の肩部に上下対向して設けた上肩フラップ、および下肩フラップと、該上肩フラップ、および下肩フラップとの間に挟持可能に固定された中間フラップとに対して、前部防護衣、または後部防護衣の何れか他方に設けた被接続フラップを第２接続手段にて接続が解かれるため、上肩フラップ、下肩フラップ、中間フラップと被接続フラップとは分離される。
【００２０】
また、上肩フラップ、下肩フラップ、中間フラップと被接続フラップとの再度の組付け
も容易に行える。
【００２１】
また、本考案の請求項５に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、前記腰帯体は、雄状係合部材と該雄状係合部材が係脱可能になる雌状係合部材とよりなる適宜係止手段の前記雄状係合部材、または前記雌状係合部材の一方を前面の一端に装設して他端を袋状の前記後部防護衣内に配挿した左右１対の内側腰バンド構成体にて構成される内側腰バンドと、前記第２接続手段を介して一端が前記後部防護衣に着脱可能に接続されて前記内側腰バンドの外側に捲回されるとともに他端が適宜係止部材により開閉可能に結合される外側腰バンドとより成ることを特徴とするので、２本の長索状体を１まとめに引き抜くという簡単な取扱操作により外部防護衣に対して外側腰バンドの接続が解かれて分離される。また、外部防護衣に対する再度の組付けも容易である。
【００２２】
また、本考案の請求項６に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、４本の索条体のうち２本の索状体が、短索状体であり、該短索状体は、前記前部防護衣と前記後部防護衣との前記肩部繋止帯による接続個所に配設した第１接続手段を介して連結可能にかつ分離可能に配索され、前記第１接続手段は、前記短索状体が挿通可能な前記スリーブ帯体と、前記短索状体の手前側から後方側が前記スリーブ帯体の背面側に跨いで配装される前記結合リングとから構成されることを特徴とするので、２本の短索状体を１まとめに引き抜くという簡単な取扱操作により、前部防護衣と後部防護衣との肩部繋止帯の接続個所の接続が解かれるため、前部防護衣と後部防護衣とは肩部繋止帯にて分離される。また、前部防護衣と後部防護衣との再度の組付けも容易に行える。
【００２３】
また、本考案の請求項７に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、４本の索条体のうち２本の前記索状体が、長索状体であり、該長索状体は、前記後部防護衣と前記腰帯体との接続個所に配設した第２接続手段を介して連結可能にかつ分離可能に配索され、前記第２接続手段は、前記長索状体が挿通可能に前記後部防護衣内に配挿される前記外側腰バンドの一端に所望個数が設けられるとともに前記後部防護衣内に挿入される左右何れか一方の前記内側腰バンド構成体の一端に前記長索状体が挿通可能に所望個数が設けられた輪状のスリーブ帯体と、前記後部防護衣内に前記スリーブ帯体に対応して前記外側腰バンドの他端に設けられた他のスリーブ帯体と、該スリーブ帯体と前記スリーブ帯体とに挿通される前記長索状体の手前側から後方側が前記スリーブ帯体の背面側に跨いで配装される前記結合リングと、から構成されることを特徴とするので、２本の長索状体を１まとめに引き抜くという簡単な取扱操作により外部防護衣に対して外側腰バンドの接続が解かれて分離される。また、外部防護衣に対する外側腰バンドの再度の組付けも容易である。
【００２４】
また、本考案の請求項８に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、前記前部防護衣および前記後部防護衣の少なくとも下縁に、スライドファスナーを開閉可能に設けることにより前記前部防護衣および前記後部防護衣の内部に前記防護部材としてのセラミック等により形成されるアマープレートとを収脱可能に収納したことを特徴とするので、銃弾や砲弾に対する防護機能を充分に発揮し、身体の動きに円滑に追従し、運動性に優れている。しかも、汚れた場合には前部防護衣および後部防護衣からソフトアマープレートを取出すことにより洗濯が容易に行える。
【００２５】
また、本考案の請求項９に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、少なくとも前記前部防護衣および前記腰帯体に所望間隔にて縫着された所望複数段のウエピングテープと、拳銃、連射銃、ショットガン等の弾納用、フラッシュ弾収納用、医薬品収納用、無線機収納用、ガスマスク収納用等の各種ポーチの背面に所望数段設けられ各段毎の前記ウエピングテープ間の間隙に配置される吊りテープと、布帛、合成樹脂シート、皮革等の柔軟性を有する素材により可撓可能に鞘状に構成されて前記ウエピングテープおよび前記吊りテープ内に各段毎に変位して上下方向に抜差可能に挿入される案内テープと、該案内テープ内に挿通経路に沿って導入されて前記ポーチの背面に設けた被係合孔内に係脱可能に係入されて合成樹脂等の可撓性材料にて先端側に設けられた芯部材と、を備え、前記ポーチを前記前部防護衣、前記腰帯体に着脱可能に取付けることを特徴とするので、拳銃、連射銃、ショットガン等の弾納用、フラッシュ弾収納用、医薬品収納用、無線機収納用、ガスマスク収納用等の各種ポーチを着脱できる。
【００２６】
また、本考案の請求項１０に記載の考案によれば、防護手段を有する前部防護衣と、防護手段を有する後部防護衣と、前記前部防護衣および前記後部防護衣の肩部を連結可能に前記前部防護衣および／または前記後部防護衣の左右の肩部に備えた肩部繋止帯と、前記前部防護衣および前記後部防護衣との下縁を締付可能な腰帯体とを備え、前記前部防護衣と前記後部防護衣とを前記肩部繋止帯を介して分離可能に設けたベスト状の防護衣服において、任務状況等に対応して必要時に、首の周囲を保護する保護立衿部材、喉を覆う喉保護部材、左右の両肩を覆う肩保護部材、左右の両脇を覆う脇保護部材、股間を覆う股保護部材等の保護拡張部材を適宜係止手段により着脱自在に取付けることを特徴とするので、
例えば通常戦闘、対市街地戦、接近戦等の任務状況に対応して必要時に、首の周囲を保護する保護立衿部材、また、喉を覆う喉保護部材、左右の肩を覆う肩保護部材、左右の脇を覆う脇保護部材、股間を覆う股保護部材等の拡張保護部品を本実施形態１の防護衣服の該当個所に着脱自在に取付ることにより、防護衣服が単独に使用される場合よりも保護範囲を拡大し、弾丸や砲弾の破片に対して確実な防護性を発揮することができる。
【考案を実施するための最良の形態】
【００２７】
以下、図面に従って本考案を実施するための最良の形態ににつき、詳細に説明する。
【００２８】
図１は本考案の防護衣服の実施形態１を示す斜視図、図２は同じく本実施形態１を構成する後部防護衣から前部防護衣を分離した状態の斜視図、図３は同じく本実施形態１を構成する後部防護衣から前部防護衣、腰帯体を分離した状態の斜視図、図４は同じく前部防護衣と後部防護衣とを肩部繋止帯により接続する第１接続手段を示す拡大斜視図、図５は同じく本実施形態を構成する後部防護衣を背面側から見た拡大背面図、図６は同じく本実施形態を構成する後部防護衣と腰帯体とを接続する第２接続手段を示す拡大斜視図、図７は本考案の前部防護衣や後部防護衣にソフトアマープレートを収納した状態の拡大断面図、図８は本考案の防護衣服に各種ポーチを装着した状態の前方から見た斜視図、図９は本考案の防護衣服に各種ポーチを装着した状態の後方から見た斜視図、図１０は本考案の防護衣服にポーチを取付けた状態の正面図、図１１は同じく本考案の防護衣服にポーチを取付ける状態の斜視図、図１２は同じく本考案の防護衣服にポーチを取付けた状態の斜視図、図１３は同じく本考案の防護衣服に着脱可能に取付ける拡張防護部品としての保護立衿部材を示す斜視図、図１４は同じく本考案の防護衣服に着脱可能に取付ける拡張防護部品としての喉保護部材を示す斜視図、図１５は同じく本考案の防護衣服に着脱可能に取付ける拡張防護部品としての肩保護部材を示す斜視図、図１６は同じく本考案の防護衣服に着脱可能に取付ける拡張防護部品としての脇保護部材を示す斜視図、図１７は同じく本考案の防護衣服に着脱可能に取付ける拡張防護部品としての股保護部材を示す斜視図である。
【００２９】
本実施形態１は、図１において、防護手段を有する前部防護衣１と、防護手段を有する後部防護衣２と、前記前部防護衣１および前記後部防護衣２の肩部を連結可能に前記前部防護衣１および／または前記後部防護衣２の左右の肩部に備えた肩部繋止帯３,３と、前記前部防護衣1および前記後部防護衣２との下縁を締付可能な腰帯体４とを備え、前記前部防護衣１と前記後部防護衣２とを前記肩部繋止帯３を介して分離可能に設けたベスト状の防護衣服である点は上記特許文献１の防弾衣と同様の構成である。
【００３０】
しかしながら、本実施形態１の防護衣服においては、一端側を１まとめに配索された４本の索状体５,５,５,５のうち、２本を前記前部防護衣１と前記後部防護衣２との前記肩部繋止帯３,３の接続個所に第１接続手段６を介して接続可能に配索し、残りの２本を前記後部防護衣２と前記腰帯体４との接続個所に第２接続手段７を介して接続可能に配索し、前記索状体５,５,５,５を引き抜くことにより前記前部防護衣1と前記後部防護衣２と前記腰帯体４とを分離可能に接続したことを特徴とする。
【００３１】
前記前部防護衣１は、高強度・高弾性率の織布、または芳香族アラミド繊維、或いは超高分子量ポリエチレン繊維を用いて表地１Ａと、裏地１Ｂとにより袋状に形成される。また、前記後部防護衣２は、例えば、図５に示すように、同様材料により表地２Ａと、裏地２Ｂとにより袋状に形成される。前記表地２Ａは、左右両開きに構成され、その全表面には雄状鉤群と、該雄状鉤群が係脱可能な雌状ループ群とからなる係止手段Ｋのうち、雄状鉤群と、雌状ループ群との何れか一方が形成され、他方はバックポーチＢＰの対向面に形成されるとともに、側縁にはスライドファスナーＳＦの一方のファスナー半体が設けられ、他方のファスナー半体が前記バックポーチＢＰの対応位置に設けられることにより、バックポーチＢＰを後部防護衣２の背面に着脱可能に取付ることができるようになっている。
【００３２】
そして、前記前部防護衣１および前記後部防護衣２の少なくとも下縁に、図７に示すようにスライドファスナー８,８′を開閉可能に設けることにより前記前部防護衣１および前記後部防護衣２の内部に前記防護手段としてのセラミック、また脂肪族ポリエチレンの織物を幾重に折り重ねて金属箔を積層する等により形成されるアマープレート９を収脱可能に収納する。このアマープレート９は前記前部防護衣１および前記後部防護衣２内に設けたポケット内に収納される。
【００３３】
４本の索条体５,５,５,５のうち２本の索状体５,５が、短索状体５Ａ,５Ｂであり、該短索状体５Ａ,５Ｂは、前記前部防護衣1の一側の胸元Ｗ付近から前記前部防護衣1と前記後部防護衣２との前記肩部繋止帯３,３による接続個所に配設した第１接続手段６を介して連結可能にかつ分離可能に配索される。これらの索条体５,５,５,５は、可撓可能な金属線条材の外周に柔軟性を有する合成樹脂を被覆したものが最適に使用されるが、この他に例えば紐であってもよい。また、これらの索条体５,５,５,５の長さ、および太さは適当なものが選択される。
【００３４】
このように４本の索条体５,５,５,５を前記前部防護衣1の一側（図１においては着用者の右側）の胸元Ｗ付近に１まとめに配索し、このうち２本の短索状体５Ａ,５Ｂを反対側の手（片手）で１まとめに引き抜くという簡単な取扱操作により、例えば着水、受傷、着火等の緊急時に前部防護衣１と後部防護衣２との肩部繋止帯３,３の接続個所の接続が直ちに解かれ、前部防護衣１と後部防護衣２とは肩部繋止帯３,３にて即座に分離されるとともに前部防護衣１と後部防護衣２との組付けを容易に行うためである。
【００３５】
また、４本の索条体５,５,５,５のうち残りの２本の前記索状体５,５が、長索状体５Ｃ,５Ｄであり、該長索状体５Ｃ,５Ｄは、前記前部防護衣1の一側の胸元Ｗ付近から一側の肩部に沿って配索されることにより前記後部防護衣２と前記腰帯体４との接続個所に配設した第２接続手段７を介して連結可能にかつ分離可能に配索される。
【００３６】
このように、２本の長索状体５Ｃ,５Ｄを１まとめに引き抜くという簡単な取扱操作により、後部防護衣２と腰帯体３との接続個所に配設した第２接続手段７での後部防護衣２と腰帯体４との接続が直ちに解かれて後部防護衣２と腰帯体４とを即座に分離するためである。しかも、後部防護衣２に対する腰帯体４の組付けも容易に行える。
【００３７】
また、前記肩部繋止帯３は、前記前部防護衣１、または前記後部防護衣２の何れか一方における左右の肩部に上下対向して設けた上肩フラップ１０、および下肩フラップ１１と、該上肩フラップ１０、および下肩フラップ１１との間に挟持可能に固定され、輪状のスリーブ帯体１３が設けられた中間フラップ１２と、結合リング１５を有し、前記前部防護衣１、または前記後部防護衣２の何れか他方における左右の肩部に前記上肩フラップ１０、および前記下肩フラップ１１、前記中間フラップ１２に対して前記第１接続手段６を介して接続可能に設けられた被接続フラップ１６とにより構成される。
【００３８】
前記第１接続手段６は、例えば図４に示すように前記短索状体５Ａ,５Ｂが挿通可能な前記スリーブ帯体１３と、前記短索状体５Ａ,５Ｂの手前側から後方側が前記スリーブ帯体１３の背面側に跨いで配装される前記結合リング１５とから構成される。
【００３９】
また、前記腰帯体４は、雄状係合部材１７Ａと該雄状係合部材１７Ａが係脱可能になる雌状係合部材１７Ｂとよりなる適宜係止手段１７の前記雄状係合部材１７Ａ、または前記雌状係合部材１７Ｂの一方を前面の一端に装設して他端を袋状の前記後部防護衣２内に配挿した左右１対の内側腰バンド構成体１８Ａ,１８Ｂにて構成される内側腰バンド１８と、前記第２接続手段７を介して一端が前記後部防護衣２に着脱可能に接続されて前記内側腰バンド１８の外側に捲回されるとともに他端が適宜係止手段１７′により開閉可能に結合される外側腰バンド１９とより形成される。
【００４０】
前記第２接続手段７は、例えば図５に示すように前記長索状体５Ｃ,５Ｄが挿通可能に前記後部防護衣２内に配挿される前記外側腰バンド１９の一端に所望個数が設けられるとともに前記後部防護衣２内に挿入される左右何れか一方の前記内側腰バンド構成体１８Ａの一端に前記長索状体５Ｃが挿通可能に所望個数が設けられた輪状のスリーブ帯体２０,２０′と、前記後部防護衣２内に前記スリーブ帯体２０に対応して前記外側腰バンド１９の他端に設けられた他のスリーブ帯体２２内に挿通された前記長索状体５Ｃ,５Ｄの手前側から後方側が前記スリーブ帯体２０,２０′；２２の背面側に跨いで配装される前記結合リング２１と、から構成される。
【００４１】
また、図１０乃至図１２において、２３は少なくとも前記前部防護衣１および前記腰帯体４に所望間隔にて縫着された所望複数段のウエピングテープであり、２４は拳銃、連射銃、ショットガン等の弾納用のポーチＰ１、フラッシュ弾収納用のポーチＰ２、医薬品収納用のポーチＰ３、無線機収納用のポーチＰ４、ガスマスク収納用等の各種ポーチＰ５の背面に所望数段設けられ各段毎の前記ウエピングテープ２３,２３,２３・・・間の間隙に配置される吊りテープであり、２５は布帛、合成樹脂シート、皮革等の柔軟性を有する素材により可撓可能に鞘状に構成されて前記ウエピングテープ２３,２３,２３・・・および前記吊りテープ２４,２４,２４・・・内に各段毎に変位して上下方向に抜差可能に挿入される案内テープであり、２６は該案内テープ２５内に挿通経路に沿って導入されるように先端部に設けられた合成樹脂等の可撓性材料にて形成された芯部材であり、この芯部材２６は前記ポーチＰ１,Ｐ２,Ｐ３,Ｐ４,Ｐ５・・・の背面に設けた被係合孔２７内に係脱可能に係入される。
【００４２】
そして、前記ポーチＰ１,Ｐ２,Ｐ３,Ｐ４,Ｐ５・・・を前記前部防護衣１および前記腰帯体４に着脱可能に取付るのには、先ず少なくとも前記前部防護衣１および前記腰帯体４に所望間隔にて縫着された所望複数段のウエピングテープ２３,２３,２３・・・間の間隙に各種ポーチＰ１,Ｐ２,Ｐ３,Ｐ４,Ｐ５・・・の背面に所望数段設けられた吊りテープ２４,２４,２４・・・を配置する。次いで、ウエピングテープ２３,２３,２３・・・と、吊りテープ２４,２４,２４・・・とに対して布帛、合成樹脂シート、皮革等の柔軟性を有する素材により鞘状に構成された案内テープ２５を各段毎に変位して上下方向に抜差可能に挿入するが、この際、案内テープ２５内に合成樹脂等の可撓性材料にて形成された芯部材２６を挿入して行く。その後、前記ポーチＰ１,Ｐ２,Ｐ３,Ｐ４,Ｐ５・・・の背面に設けた被係合孔２７内に芯部材２６の少なくとも先端側に略Ｕ字状に折曲された係入部２６ａを係脱可能に係入することによりポーチＰ１,Ｐ２,Ｐ３,Ｐ４,Ｐ５・・・を前部防護衣１、および腰帯体４に着脱可能に取付けることができる。
【００４３】
図１３において、３０は拡張防護部品としての保護立衿部材であり、この保護立衿部材３０は本実施形態１の防護衣服に必要に応じて首部を周囲から覆うように係止手段３１を介して着脱自在に取付けられることにより首部を周囲から保護するためのものである。そして、この保護立衿部材３０は防護衣服の前記前部防護衣１および後部防護衣２と同様材料により形成されることにより弾丸や砲弾の破片に対して防護性を発揮する。
【００４４】
前記係止手段３１としては、例えば図示のような雄雌の面ファスナーであるほか、図には示さないが、雄雌のスナップ、また前述の各種ポーチＰを防護衣服に取付る場合の取付方法と同様、防護衣服に所望複数段設けられたウエピングテープ２３、このウエピングテープ２３,２３,２３・・・の間に配置される吊りテープ２４、これらのウエピングテープ２３,２３,２３・・・および吊りテープ２４・・・内に各段毎に変位して上下方向に挿通経路に沿って抜差可能に挿入される案内テープ２５，該案内テープ２５内に導入される可撓性材料により形成される芯部材２６等を用いて保護立衿部材３０を着脱自在に取付ける。
【００４５】
また、図１４に示す３２は同じく必要に応じて本実施形態１の防護衣服に喉を覆うように係止手段３１を介して着脱自在に取付けられる拡張防護部品としての喉保護部材であり、この喉保護部材３２は喉を保護するためのものである。そして、この喉保護部材３１は、前記保護立衿部材３０と同様に防護衣服と同様材料により形成される。
【００４６】
また、図１５に示す３３は同じく必要に応じて本実施形態１の防護衣服に左右の両肩に係止手段３１を介して着脱自在に取付けられる拡張防護部品としての肩保護部材であり、この肩保護部材３３は肩を覆うように取付けることにより肩を保護するためのものである。
【００４７】
また、図１６に示す３４は同じく必要に応じて本実施形態１の防護衣服に左右の両脇に係止手段３１を介して着脱自在に取付けられる拡張防護部品としての脇保護部材であり、この脇保護部材３３は脇を保護するためのものである。
【００４８】
また、図１７に示す３５は同じく必要に応じて本実施形態１の防護衣服に股部、および下腹部を覆うようように係止手段３１を介して着脱自在に取付けられる拡張防護部品としての股保護部材であり、この股保護部材３５は股部、および下腹部を保護するためのものである。
【００４９】
本考案の実施形態１は以上の構成からなり、高強度・高弾性率の織布、または芳香族アラミド繊維、或いは超高分子量ポリエチレン繊維を用いて表地１Ａと、裏地１Ｂとにより形成された前部防護衣１と、また、同様材料により表地２Ａと、裏地２Ｂとにより形成された後部防護衣２とは、４本の索状体５,５,５,５のうち、２本の短索状体５Ａ,５Ｂを肩部繋止帯３,３の接続個所に第１接続手段６を介して配索することにより前部防護衣１と、後部防護衣２とは接続され、また、後部防護衣２と、腰帯体４とは、４本の索状体５,５,５,５のうち、残りの２本の長索状体５Ｃ,５Ｄを前記後部防護衣２と前記腰帯体４との接続個所に第２接続手段７を介して配索することにより後部防護衣２と腰帯体４とを接続しているので、着用者は前部防護衣１と、後部防護衣２とを身頃の前後に着用するとともに係止部材としてのスライドファスナー等の係止手段１７′を開閉させることにより前部防護衣１と、後部防護衣２との腰周りに腰帯体４を捲回して装着する。
【００５０】
そして、図７に示すように、袋状の前部防護衣１と、袋状の後部防護衣２との少なくとも下端には開閉可能にスライドファスナー８,８′を設けているので、この前部防護衣１と、袋状の後部防護衣２内に設けられたポケット内に、例えばセラミック、また脂肪族ポリエチレン織物を幾重に折り重ねて金属箔を積層する等により形成される防護手段としてのアマープレート９を収脱可能に収納して着用すれば、通常戦闘はもとより、対テロ市街地戦、接近戦等で使用される拳銃、連射銃、ショットガン、フラッシュ弾等の各種銃弾や砲弾に対する防護機能を充分に発揮する。
【００５１】
また、前述のように前部防護衣１および後部防護衣２は、高強度・高弾性率の織布、または芳香族アラミド繊維、或いは超高分子量ポリエチレン繊維を用いて形成されるので、身体の動きに円滑に追従し、運動性は優れたものになる。
【００５２】
そして、前記前部防護衣１および前記腰帯体４には、所望間隔にウエピングテープ２３,２３,２３・・・を縫着し、このウエピングテープ２３,２３,２３・・・間の間隙に拳銃、連射銃、ショットガン等の弾納用のポーチＰ１、フラッシュ弾収納用のポーチＰ２、医薬品収納用のポーチＰ３、無線機収納用のポーチＰ４、ガスマスク収納用等のポーチＰ５等の各種ポーチＰ１,Ｐ２,Ｐ３,Ｐ４,Ｐ５・・・の背面に所望数段設けられた吊りテープ２４,２４,２４・・・を配設し、このウエピングテープ２３,２３,２３・・・と、吊りテープ２４,２４,２４・・・とに対して布帛、合成樹脂シート、皮革等の柔軟性を有する素材により鞘状に構成された案内テープ２５を各段毎に変位して上下方向に抜差可能に挿入し、この案内テープ２５内に合成樹脂等の可撓性材料にて形成された芯部材２６を挿入し、その後に、前記ポーチＰ１,Ｐ２,Ｐ３,Ｐ４,Ｐ５・・・の背面に設けた被係合孔２７内に芯部材２６を係脱可能に係入することにより拳銃、連射銃、ショットガン等の弾納用のポーチＰ１、フラッシュ弾収納用のポーチＰ２、医薬品収納用のポーチＰ３、無線機収納用のポーチＰ４、ガスマスク収納用等のポーチＰ５等の各種ポーチＰ１,Ｐ２,Ｐ３,Ｐ４,Ｐ５・・・を前部防護衣１、および腰帯体４に着脱可能に取付けることができ、便利である。
【００５３】
また、本実施形態１の防護衣服では、例えば通常戦闘、対市街地戦、接近戦等の任務状況に対応して必要時に、図１３に示すように首の周囲を保護する保護立衿部材３０、また、図１４に示すように喉を覆う喉保護部材３２、図１５に示すように左右の肩を覆う肩保護部材３３,３３、図１６に示すように左右の脇を覆う脇保護部材３４,３４、図１７に示すように股間を覆う股保護部材３５等の拡張保護部品を本実施形態１の防護衣服の該当個所に着脱自在に取付けることにより、防護衣服が単独に使用される場合よりも例えば首、喉、左右の両肩、左右の両脇、さらには股間や下腹部等、保護範囲を拡大し、弾丸や砲弾の破片に対して確実な防護性を発揮することができる。
【００５４】
そして、着水、受傷、着火等の緊急時に本実施形態１の防護衣服を脱ぐ場合には、前部防護衣１の一側、図示する実施形態では右側の胸元Ｗに１まとめに一端側が配索されている４本の索状体５,５,５,５を反対側の手（左手）で１まとめに引張ると、第１接続手段６において短索状体５Ａ,５Ｂが挿通されている前記スリーブ帯体１３とこのスリーブ帯体１３の背面側に跨いで配装される前記結合リング１５とが係合することにより前部防護衣１と後部防護衣２とを結合している肩部繋止帯３,３の接続が、スリーブ帯体１３から短索状体５Ａ,５Ｂが引き抜かれることにより直ちに解かれるので、前部防護衣１と後部防護衣２とは肩部繋止帯３,３にて即座に分離される。
【００５５】
同時に、４本の索条体５,５,５,５（図示する実施形態１では右側）のうち残りの２本の長索状体５Ｃ,５Ｄは、前記前部防護衣1の一側の胸元Ｗ付近から一側、図示では左側の肩部に沿って後部防護衣２内に配索されることにより前記後部防護衣２とは前記腰帯体４との接続個所に配設した第２接続手段７を介して後部防護衣２と腰帯体４とは連結可能にかつ分離可能に接続されているので、この２本の長索状体５Ｃ,５Ｄは引張られ、第２接続手段７において長索状体５Ｃ,５Ｄが挿通されているスリーブ帯体２０,２０′；２２と、このスリーブ帯体２０,２０′；２２の背面側に跨いで配装される前記結合リング２１とが係合することにより後部防護衣２と腰帯体４との接続が、スリーブ帯体２０,２０′；２２から長索状体５Ｃ,５Ｄが引き抜かれることにより直ちに解かれるので、後部防護衣２と腰帯体４とは即座に分離される。
【００５６】
従って、着水、受傷、着火等の緊急時に、前部防護衣１における一側、例えば右側の胸元Ｗに１まとめにされている４本の索状体５,５,５,５を反対側の右手で引抜操作を行うだけの簡単な取扱操作により前部防護衣１と、後部防護衣２と、腰帯体４とを即座に完全に分離することができる。そして、着水、受傷、着火等の緊急時の難を容易に免れることができ、安全性は高まる。しかも、前部防護衣１と、後部防護衣２と、腰帯体４とを即座に完全に分離することができるので、洗濯をした場合に完全に汚れを落とすことができる。また、古くなった前部防護衣１と、後部防護衣２と、腰帯体４との補修、交換も容易で保守、管理が楽に行える。
【００５７】
また、前部防護衣１、または後部防護衣２の再度の組付けは、肩部繋止帯３が前記前部防護衣１、または前記後部防護衣２の何れか一方における左右の肩部に設けた上肩フラップ１０、下肩フラップ１１、中間フラップ１２に対して前記前部防護衣１、または前記後部防護衣２の何れか一方における左右の肩部に設けた被接続フラップ１６との再度の組付けもスリーブ帯体１３内に短索状体５Ａ,５Ｂを挿通し、短索状体５Ａ,５Ｂの手前側から後方側が前記スリーブ帯体１３の背面側に結合リング１５を跨がせることにより容易に行える。
【００５８】
また、後部防護衣２と腰帯体４との再度の組付けは、後部防護衣２内に配挿される外側腰バンド１９の一端に所望個数が設けられるとともに後部防護衣２内に挿入される左右何れか一方、例えば内側腰バンド構成体１８Ａの一端に所望個数が設けられた輪状のスリーブ帯体２０,２０′内に、長索状体５Ｃが挿通され、また、前記後部防護衣２内に前記スリーブ帯体２０に対応して前記外側腰バンド１９の他側に設けたスリーブ帯体２２内に長索状体５Ｄを挿入し、それから対応する結合リング２１を長索状体５Ｃ,５Ｄの手前側から後方側が前記スリーブ帯体２０,２０′；２２の背面側に跨ぐようにすることにより後部防護衣２と腰帯体４との再度の組付けを行うことができる。
【００５９】
また、図示する上記実施形態１では、前部防護衣１の右側の胸元Ｗに２本の短索状体５Ａ,５Ｂと、長索状体５Ｂ,５Ｄを引張り可能に１まとめに配索しているが、２本の短索状体５Ａ,５Ｂと、長索状体５Ｂ,５Ｄとの引張り元は、左側の胸元に配索してもよく、長索状体５Ｂ,５Ｄは左側の肩を経て後部防護衣２内に配索してもよい。
【産業上の利用可能性】
【００６０】
本考案は、着水、受傷、着火等の緊急時に、簡単な取扱操作により前部防護衣、後部防護衣、腰帯体等の複数個の構成部材の接続を簡単な取扱操作により解いて完全に分離して防弾着を即座に脱ぎ捨てることができ、安全性を高め、また構成部材を完全に分離後は洗濯も容易に行え、しかも、分離された構成部材相互の再度の組付けも容易であり、補修、交換も容易で保守、管理が楽に行える用途・分野に適する。
【図面の簡単な説明】
【００６１】
【図１】図１は本考案の防護衣服の実施形態１を示す斜視図である。
【図２】図２は同じく本実施形態１を構成する後部防護衣から前部防護衣を分離した状態の斜視図である。
【図３】図３は同じく本実施形態１を構成する後部防護衣から前部防護衣、腰帯体を分離した状態の斜視図である。
【図４】図４は同じく前部防護衣と後部防護衣とを肩部繋止帯により接続する第１接続手段を示す拡大斜視図である。
【図５】図５は同じく本実施形態を構成する後部防護衣を背面側から見た拡大背面図である。
【図６】図６は同じく本実施形態を構成する後部防護衣と腰帯体とを接続する第２接続手段を示す拡大斜視図である。
【図７】図７は本考案の前部防護衣や後部防護衣にアマープレートを収納した状態の拡大断面図である。
【図８】図８は本考案の防護衣服に各種ポーチを装着した状態の前方から見た斜視図である。
【図９】図９は本考案の防護衣服に各種ポーチを装着した状態の後方から見た斜視図である。
【図１０】図１０は本考案の防護衣服にポーチを取付けた状態の正面図である。
【図１１】図１１は同じく本考案の防護衣服にポーチを取付ける状態の斜視図である。
【図１２】図１２は同じく本考案の防護衣服にポーチを取付けた状態の斜視図である。
【図１３】図１３は同じく本考案の防護衣服に着脱可能に取付ける拡張防護部品としての保護立衿部材を示す斜視図である。
【図１４】図１４は同じく本考案の防護衣服に着脱可能に取付ける拡張防護部品としての喉保護部材を示す斜視図である。
【図１５】図１５は同じく本考案の防護衣服に着脱可能に取付ける拡張防護部品としての肩保護部材を示す斜視図である。
【図１６】図１５は同じく本考案の防護衣服に着脱可能に取付ける拡張防護部品としての脇保護部材を示す斜視図である。
【図１７】図１７は同じく本考案の防護衣服に着脱可能に取付ける拡張防護部品としての股保護部材を示す斜視図である。
【符号の説明】
【００６２】
１      前部防護衣
２      後部防護衣
３      肩部繋止帯
４      腰帯体
５      索状体
５Ａ    短索状体
５Ｂ    短索状体
５Ｃ    長索状体
５Ｄ    長索状体
６      第１接続手段
７      第２接続手段
１３    スリーブ帯体
１５    結合リング
２０    スリーブ帯体
２０′  スリーブ帯体
２２    スリーブ帯体
２１    結合リング
２３    ウエピングテープ
Ｐ      ポーチ
Ｐ１    ポーチ
Ｐ２    ポーチ
Ｐ３    ポーチ
Ｐ４    ポーチ
Ｐ５    ポーチ
【図１】
0003121772.tif 000003
【図２】
0003121772.tif 000004
【図３】
0003121772.tif 000005
【図４】
0003121772.tif 000006
【図５】
0003121772.tif 000007
【図６】
0003121772.tif 000008
【図７】
0003121772.tif 000009
【図８】
0003121772.tif 000010
【図９】
0003121772.tif 000011
【図１０】
0003121772.tif 000012
【図１１】
0003121772.tif 000013
【図１２】
0003121772.tif 000014
【図１３】
0003121772.tif 000015
【図１４】
0003121772.tif 000016
【図１５】
0003121772.tif 000017
【図１６】
0003121772.tif 000018
【図１７】
0003121772.tif 000019